(57)【要約】【課題】  テレビジョン本体に対して左右のスピーカーを近接離反できるとともに、テレビジョン本体の上下にスピーカーを配置することができて、用途に合わせてスピーカーの位置を自由に変えることができる薄型テレビジョンを提供する。【解決手段】  テレビジョン本体１の左右両側にスピーカー２、３、４、５を設けた薄型テレビジョンにおいて、左右のスピーカー２、３、４、５はそれぞれ上下２つ設けられ、各スピーカー２、３、４、５はテレビジョン本体１に対して左右方向に近接離反可能に設けられると共に、各スピーカー２、３、４、５は回転自在に構成され、且つ各スピーカー２、３、４、５は取り外し可能とされていて、各スピーカー２、３、４、５はテレビジョン本体１の上下位置の左右に取付可能に配置されるように構成されている【選択図】  図１
2007318301.tif 000002
【特許請求の範囲】
【請求項１】
テレビジョン本体の左右両側にスピーカーを設けた薄型テレビジョンにおいて、前記左右のスピーカーはそれぞれ上下２つ設けられ、各スピーカーは前記テレビジョン本体に対して左右方向に近接離反可能に設けられると共に、前記各スピーカーは回転自在に構成され、且つ前記各スピーカーは取り外し可能とされていて、前記各スピーカーは前記テレビジョン本体の上下位置の左右に取付可能に配置されるように構成されていることを特徴とする薄型テレビジョン。
【請求項２】
テレビジョン本体の左右両側にスピーカーを設けた薄型テレビジョンにおいて、前記左右のスピーカーはそれぞれ上下２つ設けられ、各スピーカーは前記テレビジョン本体に対して左右方向に近接離反可能に設けられると共に、前記各スピーカーは取り外し可能とされ、前記各スピーカーは前記テレビジョン本体の上下位置の左右に取付可能に配置されるように構成されていることを特徴とする薄型テレビジョン。
【請求項３】
前記各スピーカーは回転可能に配置されており、前記各スピーカーは前記テレビジョン本体に設けられた伸縮移動可能な腕部に保持され、前記腕部には軸挿入用円形溝が設けられ、この軸挿入用円形溝に前記スピーカーに設けられた軸部が取り付け取り外し可能に挿入されている請求項２に記載の薄型テレビジョン。
【請求項４】
前記各スピーカーの裏側に突起がそれぞれ設けられ、前記テレビジョン本体の裏面の上下には前記各スピーカーの突起がスライド可能に嵌入されるレール溝が形成されている請求項２又は３に記載の薄型テレビジョン。
【発明の詳細な説明】
【技術分野】
【０００１】
本発明は、テレビジョン本体の左右両側にスピーカーを設けた薄型テレビジョンに関するものである。
【背景技術】
【０００２】
第１の従来技術を図３（ａ）（ｂ）に示す。この従来の平面型表示装置は、図３（ａ）（ｂ）に示すように、画像を表示するための平面型の表示部１２１が収容された略矩形の筐体１２２と、略同一寸法の左チャンネル再生用スピーカ装置１３１Ｌと右チャンネル再生用スピーカ装置１３１Ｒとからなるステレオスピーカ装置１３０と、を有し、左チャンネル再生用装置１３１Ｌと右チャンネル再生用スピーカ装置１３１Ｒとが、筐体１２２の上面１２２Ｕまたは下面１２２Ｄにその長手方向の側面を横一列して着脱自在、かつ、筐体１２２の左右側面１２２Ｌ、１２２Ｒにその長手方向の側面をそれぞれ着脱自在に構成され、左チャンネル再生用スピーカ装置１３１Ｌまたは右チャンネル再生用スピーカ装置１３１Ｒの長手方向の長さが、筐体１２２の長手方向の長さの半分以下とする。（例えば、特許文献１参照）。
【０００３】
ところが、これにおいては、スピーカ装置が左チャンネル再生用スピーカ装置１３１Ｌと右チャンネル再生装置スピーカ装置１３１Ｒに２つに分割されているだけであり、筐体１２２の下部には設置できるが、筐体１２２の上部には設置できないものであった。また、左チャンネル再生用スピーカ装置１３１Ｌと右チャンネル再生用スピーカ装置１３１Ｒを筐体１２２に対して近接離反することができないものであった。
【０００４】
第２の従来技術を図４（ａ）（ｂ）（ｃ）に示す。この従来の表示装置は、図４（ａ）（ｂ）（ｃ）に示すように、画像を表示する画像表示部２０１と、音声を出力する左スピーカ部２０２及び右スピーカ部２０３とを備え、画像表示部２０１と左スピーカ部２０２及び右スピーカ部２０３の相対位置を赤外線受信部から受信した信号に基づいて変更する。（例えば、特許文献２参照）。
【０００５】
ところが、これにおいては、左スピーカ部２０２と右スピーカ部２０３とを左右に近接離反できるものであるが、画像表示部２０１の上下に設置することができるものではなかった。
【０００６】
第３の従来技術を図５（ａ）（ｂ）に示す。この従来の表示装置は、図５（ａ）（ｂ）に示すように、画像を表示する画像表示部３０１と、音声を出力する左スピーカ部３０２、右スピーカ部３０３とを備え、取っ手３０９によって、画像表示部３０１と左スピーカ部３０２、右スピーカ部３０３の相対位置を変更し、所望の位置で固定を可能とする。（例えば、特許文献３参照）。
【０００７】
ところが、これにおいては、左スピーカ部３０２と右スピーカ部３０３を左右に近接離反できるものであるが、画像表示部３０１の上下に設置することができるものではなかった。
【０００８】
第４の従来技術を図６（ａ）（ｂ）（ｃ）に示す。この従来のテレビジョン受像機は、図６（ａ）（ｂ）（ｃ）に示すように、スピーカー取付け板４１０が軸４１１及び筐体４０３とスピーカー取付け板４１０及びポリウレタンゴム４１２とが相対的に回動するが、軸４１１はポリウレタンゴム４１２に圧入されているので軸４１１とポリウレタンゴム４１２の間に摩擦力が発生しこれがスピーカー取付け板４１０を軸４１１の周りに回転させようとした時抵抗となるような回転トルクを生じる。従って、回転トルクを越える外力が加えられない時は筐体４０３とスピーカー取付け板４１０の位置関係は保持される。即ちスピーカーの向きを保持することができる。
【０００９】
ところが、これにおいては、スピーカーを回転してその向きを変えることができるものであるが、筐体４０３に対してスピーカーを近接離反したり、筐体４０３の上下位置にスピーカーを設置することができないものであった。
【特許文献１】特開２００５−３３３９５号公報
【特許文献２】特開２０００−２５３３３３号公報
【特許文献３】特開２０００−２２１９２２号公報
【特許文献４】特開２０００−２４４８４５号公報
【発明の開示】
【発明が解決しようとする課題】
【００１０】
本発明は、上記従来の実情に鑑みてなされたものであって、テレビジョン本体に対して左右のスピーカーを近接離反できるとともに、テレビジョン本体の上下にスピーカーを配置することができて、用途に合わせてスピーカーの位置を自由に変えることができる薄型テレビジョンを提供することを目的としている。
【課題を解決するための手段】
【００１１】
本発明は、上記課題を解決するために提案されたものであって、請求項１に記載の発明は、テレビジョン本体の左右両側にスピーカーを設けた薄型テレビジョンにおいて、前記左右のスピーカーはそれぞれ上下２つ設けられ、各スピーカーは前記テレビジョン本体に対して左右方向に近接離反可能に設けられると共に、前記各スピーカーは回転自在に構成され、且つ前記各スピーカーは取り外し可能とされていて、前記各スピーカーは前記テレビジョン本体の上下位置の左右に取付可能に配置されるように構成されていることを特徴としている。
【００１２】
請求項２に記載の発明は、テレビジョン本体の左右両側にスピーカーを設けた薄型テレビジョンにおいて、前記左右のスピーカーはそれぞれ上下２つ設けられ、各スピーカーは前記テレビジョン本体に対して左右方向に近接離反可能に設けられると共に、前記各スピーカーは取り外し可能とされ、前記各スピーカーは前記テレビジョン本体の上下位置の左右に取付可能に配置されるように構成されていることを特徴としている。
【００１３】
請求項３に記載の発明は、請求項２に記載の発明において、前記各スピーカーは回転可能に配置されており、前記各スピーカーは前記テレビジョン本体に設けられた伸縮移動可能な腕部に保持され、前記腕部には軸挿入用円形溝が設けられ、この軸挿入用円形溝に前記スピーカーに設けられた軸部が取り付け取り外し可能に挿入されている。
【００１４】
請求項４に記載の発明は、請求項２又は３に記載の発明において、前記各スピーカーの裏側に突起がそれぞれ設けられ、前記テレビジョン本体の裏面の上下には前記各スピーカーの突起がスライド可能に嵌入されるレール溝が形成されている。
【発明の効果】
【００１５】
請求項１に記載の発明によれば、上下に２つ設けられた左右のスピーカーをテレビジョン本体の左右位置あるいは上下位置に自由に配置することができると共に、左右のスピーカーをテレビジョン本体に対して近接離反することができ、更に、左右のスピーカーを回転させることができて角度を変えることができ、用途に合わせてスピーカーの位置を自由に変えることができる。また、スピーカーをテレビジョン本体の上下位置に配置できることによって、テレビジョン本体の左右にスペースが無い場合に、スピーカーをテレビジョン本体の上下に配置することができる。
【００１６】
請求項２に記載の発明によれば、上下に２つ設けられた左右のスピーカーをテレビジョン本体の左右位置あるいは上下位置に自由に配置することができると共に、左右のスピーカーをテレビジョン本体に対して近接離反することができ、用途に合わせてスピーカーの位置を自由に変えることができる。また、スピーカーをテレビジョン本体の上下位置に配置できることによって、テレビジョン本体の左右にスペースが無い場合に、スピーカーをテレビジョン本体の上下に配置することができる。
【００１７】
請求項３に記載の発明によれば、テレビジョン本体に設けられた伸縮移動可能な腕部にスピーカーが保持され、腕部の軸挿入用円形溝にスピーカーの軸部を挿入しているから、左右のスピーカーを回転させて所望の角度にスピーカーの向きを変えることができる。
【００１８】
請求項４に記載の発明によれば、スピーカーに設けられた突起をテレビジョン本体の裏面の上下に形成されたレール溝に嵌入させることによって、テレビジョン本体の上下にスピーカーを簡単に配置することができる。
【発明を実施するための最良の形態】
【００１９】
以下、本発明に係る薄型テレビジョンの実施の形態について、図を参照しつつ説明する。
【００２０】
図１は本発明の薄型テレビジョンを示し、（ａ）はスピーカーをテレビジョン本体の左右に配置した状態を示す斜視図、（ｂ）はスピーカーをテレビジョン本体に対して左右の離れた位置に配置した状態の斜視図、（ｃ）はスピーカーをテレビジョン本体の上下位置に配置した状態を示す斜視図、図２はテレビジョン本体に設けられた腕部にスピーカーを回転可能に取付けた状態の平面断面図である。
【００２１】
本実施形態の薄型テレビジョンは、図１（ａ）に示すように、テレビジョン本体１の左右に上下２つのスピーカー２、３、４、５が配置されている。これらのスピーカー２、３、４、５は、図１（ｂ）に示すように、テレビジョン本体１に設けられた腕部６に取り付け取り外し自在に保持されており、これらの腕部６は伸縮移動可能に設けられ、スピーカー２、３、４、５をテレビジョン本体１の左右の所望の位置に配置できるようになっている。更に、図１（ｃ）に示すように、スピーカー２、３、４、５の裏側に突起２ａ、３ａ、４ａ、５ａが設けられ、テレビジョン本体１の裏面の上下位置には、突起２ａ、３ａ、４ａ、５ａがスライド可能に嵌入されるレール溝１ａがそれぞれ設けられている。また、図２に示すように、テレビジョン本体１の腕部６の先端には、軸挿入用円形溝６ａが形成され、スピーカー２に設けられた軸部２ｂが軸挿入用円形溝６ａに取り付け取り外し可能に挿入され、スピーカー２が回転自在に腕部６に保持されるようになっている。この腕部６の軸挿入用円形溝６ａからスピーカー２の軸部２ｂを取り外すには、スピーカー２の上側に移動することによって、軸部２ｂが軸挿入用円形溝６ａに対して抜け出ることによって取り外しすることができる。尚、上記実施形態では、軸部２ｂがスピーカー２に設けられているものについて説明したが、他のスピーカー３、４、５にも軸部が形成されているものである。
【００２２】
従って、本実施形態の薄型テレビジョン１によれば、上下に２つ設けられた左右のスピーカー２、３、４、５をテレビジョン本体１の左右位置あるいは上下位置に自由に配置することができると共に、左右のスピーカー２、３、４、５をテレビジョン本体１に対して近接離反することができ、更に、左右のスピーカー２、３、４、５を回転させることができて角度を変えることができ、用途に合わせてスピーカー２、３、４、５の位置を自由に変えることができる。また、スピーカー２、３、４、５をテレビジョン本体１の上下位置に配置できることによって、テレビジョン本体１の左右にスペースが無い場合に、スピーカー２、３、４、５をテレビジョン本体１の上下に配置することができる。更に、テレビジョン本体１に設けられた伸縮移動可能な腕部６にスピーカー２、３、４、５が保持され、腕部６の軸挿入用円形溝６ａにスピーカー２の軸部２ｂを挿入しているから、左右のスピーカー２、３、４、５を回転させて所望の角度にスピーカー２、３、４、５の向きを変えることができる。また、スピーカー２、３、４、５に設けられた突起２ａ、３ａ、４ａ、５ａをテレビジョン本体１の裏面の上下に形成されたレール溝１ａに嵌入させることによって、テレビジョン本体１の上下にスピーカー２、３、４、５を簡単に配置することができる。
【図面の簡単な説明】
【００２３】
【図１】本発明の薄型テレビジョンを示し、（ａ）はスピーカーをテレビジョン本体の左右に配置した状態を示す斜視図、（ｂ）はスピーカーをテレビジョン本体に対して左右の離れた位置に配置した状態の斜視図、（ｃ）はスピーカーをテレビジョン本体の上下位置に配置した状態を示す斜視図である。
【図２】テレビジョン本体に設けられた腕部にスピーカーを回転可能に取付けた状態の平面断面図である。
【図３】従来の平面型表示装置を示し、（ａ）は筐体の下面にステレオスピーカ装置を取付けた状態の正面図、（ｂ）は筐体の左右両側面にステレオスピーカ装置を取付けた状態の正面図である。
【図４】従来の表示装置を示し、（ａ）はそのスピーカ収納状態の斜視図、（ｂ）はそのスピーカ展開状態の斜視図、（ｃ）はそのスピーカ回転状態の斜視図である。
【図５】従来の他の表示装置を示し、（ａ）はそのスピーカ収納状態の斜視図、（ｂ）はそのスピーカ展開状態の斜視図である。
【図６】従来のテレビジョン受像機を示し、（ａ）はその斜視図、（ｂ）はその部分分解斜視図、（ｃ）はそのスピーカ取付け板の部分斜視図である。
【符号の説明】
【００２４】
１      テレビジョン本体
１ａ    レール溝
２      スピーカー
２ａ    突起
２ｂ    軸部
３      スピーカー
３ａ    突起
４      スピーカー
４ａ    突起
５      スピーカー
５ａ    突起
６      腕部
６ａ    軸挿入用円形溝
【図１】
2007318301.tif 000003
【図２】
2007318301.tif 000004
【図３】
2007318301.tif 000005
【図４】
2007318301.tif 000006
【図５】
2007318301.tif 000007
【図６】
2007318301.tif 000008